(57)【要約】【課題】筐体に設けられるファンの数を減らして、筐体の内部スペースを有効活用できるようにする。【解決手段】筐体１内に、モータ10により駆動される圧縮機本体９と、圧縮機本体９から吐出される圧縮流体を冷却するクーラー11とを収容したパッケージ型圧縮機において、筐体１内を、仕切板２、３により、モータ10及び圧縮機本体９を収容する第１収容室４と、クーラー11を収容する第２収容室５とに画成して、仕切板２に、第１収容室４の雰囲気を吸い込んで第２収容室５に送風して第２収容室５に設けた排気口８から筐体１の外部に排気可能な換気扇19を設けるとともに、クーラー11を換気扇19の送風が直接当たる箇所に配置する。【選択図】図２
2007239721.tif 000002
【特許請求の範囲】
【請求項１】
筐体内に、モータにより駆動される圧縮機本体と、該圧縮機本体から吐出される圧縮流体を冷却するクーラーとを収容したパッケージ型圧縮機において、
前記筐体内を、仕切板により、前記モータ及び前記圧縮機本体を収容する第１収容室と、前記クーラーを収容する第２収容室とに画成して、前記仕切板に、前記第１収容室の雰囲気を吸い込んで前記第２収容室に送風して前記第２収容室に設けた排気口から前記筐体の外部に排気可能な換気扇を設けるとともに、前記クーラーを前記換気扇の送風が直接当たる箇所に配置したことを特徴とするパッケージ型圧縮機。
【請求項２】
クーラを換気扇に対向させて配置するとともに、前記クーラー及び前記換気扇の周囲を、第２収容室に設けた排気口に対向する側のみが開口するように囲い部材により囲んだことを特徴とする請求項１記載のパッケージ型圧縮機。
【発明の詳細な説明】
【技術分野】
【０００１】
本発明は、筐体内に、モータと、モータにより駆動される圧縮機本体と、圧縮機本体から吐出される圧縮流体を冷却するクーラーとを収容したパッケージ型圧縮機に関する。
【背景技術】
【０００２】
圧縮機において、筐体内に、モータと、モータにより駆動される圧縮機本体と、圧縮機本体から吐出される圧縮流体を貯留するタンクとを一体的に組付けた状態で収容したパッケージ型圧縮機は知られている（例えば、特許文献１参照）。
【特許文献１】特開平７−１０３１４５号公報
【発明の開示】
【発明が解決しようとする課題】
【０００３】
しかし、上記特許文献１に記載されたパッケージ型圧縮機においては、圧縮機本体及びタンクに冷却風を送風するためのファン、筐体内の空気等の雰囲気を筐体の外部に排気するための排気ファン、及び圧縮熱により温度が上昇した圧縮流体の流路を冷却風により冷却するための冷却ファン等の多数のファンが設けられる。これにより、筐体に多数のファンを配置するスペースが必要となり、筐体の大型化を招くこととなる。
【０００４】
本発明は、上記したような従来のパッケージ型圧縮機における問題を解決することを目的とするもので、その具体的手段は、特許請求の範囲に記載されている通りであり、次の如くである。
【課題を解決するための手段】
【０００５】
本発明によると、上記課題は、次のようにして解決される。
（１）筐体内に、モータにより駆動される圧縮機本体と、該圧縮機本体から吐出される圧縮流体を冷却するクーラーとを収容したパッケージ型圧縮機において、前記筐体内を、仕切板により、前記モータ及び前記圧縮機本体を収容する第１収容室と、前記クーラーを収容する第２収容室とに画成して、前記仕切板に、前記第１収容室の雰囲気を吸い込んで前記第２収容室に送風して前記第２収容室に設けた排気口から前記筐体の外部に排気可能な換気扇を設けるとともに、前記クーラーを前記換気扇の送風が直接当たる箇所に配置する。
【０００６】
（２）上記(１)項において、クーラーを換気扇に対向させて配置するとともに、前記クーラー及び前記換気扇の周囲を、第２収容室に設けた排気口に対向する側のみが開口するように囲い部材により囲む。
【発明の効果】
【０００７】
本発明によれば、次のような効果が奏せられる。
（ａ）請求項１記載の発明によると、筐体内を第１収容室と第２収容室とに画成する仕切板に配置した換気扇により、第１、２収容室の雰囲気の排気と、第２収容室に収容したクーラーの冷却とを同時に行うことができ、筐体内部の収容スペースを有効的に活用することができる。
【０００８】
（ｂ）請求項２記載の発明によると、換気扇とクーラーとを囲い部材により囲んだことにより、クーラーをより効率的に冷却することができる。
【発明を実施するための最良の形態】
【０００９】
以下、本発明に係わる一実施形態を、図面に基づいて説明する。図１は、本発明を適用したパッケージ型圧縮機の内部構造を示す縦断面図、図２は、要部の斜視図である。
【００１０】
筐体(１)は、左、右の側板(1a)(1b)、天板(1c)、底板(１d)、後板(1e)、及び前板（図示略）からなる四角形の箱状に形成されるとともに、その内部は、縦仕切板(２)と横仕切板(３)とにより、右側の第１収容室(４)と左側の第２収容室(５)とに画成されている。
【００１１】
後板(1e)の左下部には、外気を冷却風として第１収容室(４)に導入可能な外気吸気口(６)が設けられている。縦仕切板(２)の下部には、第１収容室(４)の雰囲気を第２収容室(５)に導入可能な第１排気口(７)が設けられている。天板(1c)の左部には、第２収容室(５)に導入された第１収容室の雰囲気を筐体(１)の外部に排気させるための第２排気口(８)が設けられている。
【００１２】
第１収容室(４)には、空気等の流体を圧縮するスクロール式の圧縮機本体(９)と、圧縮機本体(９)を駆動させるモータ(10)と、圧縮機本体(９)から吐出される圧縮流体を貯留するタンク(12)とが収容される。
【００１３】
第２収容室(５)には、圧縮機本体(９)とタンク(12)とを繋ぐ流路途中に介在され、圧縮機本体(９)により圧縮されて圧縮熱が発生した圧縮流体を冷却するための空冷式のアフタークーラー(11)が収容される。
【００１４】
圧縮機本体(９)の圧縮流体を吐出するための吐出口(9a)は、第１銅管(16)を介して、アフタークーラー(11)の入口に接続され、また、アフタークーラー(11)の出口は、第２銅管(17)を介して、タンク(12)の入口に接続される。
【００１５】
圧縮機本体(９)は、筐体(１)の底板(1d)に取り付けられるタンク(12)上に、振動を吸収するための複数の防振ゴム(13)を介して取り付けられる。モータ(10)は、圧縮機本体(９)上に取り付けられるとともに、ベルト(14)を介して圧縮機本体(９)の後側で駆動軸（図示略）に連結される。
【００１６】
圧縮機本体(９)がモータ(10)により駆動されると、圧縮機本体(９)は、その吸気口(9b)に接続された吸気管(18)を通して外部の空気等の流体を吸入して圧縮する。圧縮機本体(９)により圧縮された圧縮流体は、吐出口(9a)から吐出され、第１銅管(16)、アフタークーラー(11)、第２銅管(17)を介して、タンク(12)に送られる。タンク(12)に貯留された圧縮流体は、タンク(12)の後側に設けた吐出口（図示略）からゴム管（図示略）を介して、筐体(１)の適所に設けた導出バルブ（図示略）から取り出される。
【００１７】
圧縮機本体(９)の後側には、圧縮機本体(９)を冷却するためのシロッコファン（図示略）の冷却風を流通させるダクト(15)が設けられている。シロッコファンが圧縮機本体(９)の駆動軸と一体に回転すると、外気吸気口(６)から外気を冷却風として吸い込んで圧縮機本体(９)に送風して冷却する。
【００１８】
圧縮機本体(９)を冷却した後の温風(Ａ)は、縦仕切板(２)の下部、すなわち圧縮機本体(９)の左側面に対向する箇所に設けられた第１排気口(７)から第２収容室(５)に導入されて、第２排気口(８)から筐体(１)の外部に排気される。
【００１９】
縦仕切板(２)における第１排気口(７)の上方には、第１収容室(４)の雰囲気を吸い込んで第２収容室(５)に冷却風(Ｂ)として送風する換気扇(19)が取り付けられている。
【００２０】
アフタークーラー(11)は、第２収容室(５)において第１排気口(７)から導入される温風(Ａ)が直接当たらないで、かつ換気扇(19)による冷却風(Ｂ)が直接当たる領域、具体的には、換気扇(19)に対向する領域に配置される。これにより、換気扇(19)により第１収容室(４)から吸い込んだ冷却風(Ｂ)を、アフタークーラー(11)に直接当てて、アフタークーラー(11)を効率的に冷却することができる。
【００２１】
なお、アフタークーラー(11)は、縦仕切板(２)に取り付けられた囲い部材(20)の底板部(20a)上に載置される。
【００２２】
囲い部材(20)は、換気扇(19)及びアフタークーラー(11)の周囲を第２排気口(８)に対向する上方のみが開口するように、前後、左右及び下方を囲む形状をなしている。
【００２３】
これにより、第１排気口(７)から導入される温風(Ａ)は、囲い部材(20)によりアフタークーラー(11)に当たらないように遮られて、囲い部材(20)と左側板(1a)及び前板との間の隙間を通って第２排気口(８)から筐体(１)の外部に排気される。
【００２４】
また、囲い部材(20)により、温風(Ａ)の流路と冷却風(Ｂ)の流路とが分離されるため、アフタークーラー(11)を冷却するための換気扇(19)による冷却風(Ｂ)は、アフタークーラー(11)を冷却する段階で、温風(Ａ)と交じることがないため、アフタークーラー(11)を効率的に冷却することができる。
【００２５】
以上のように、仕切板(２)に設けた換気扇(19)により、圧縮機本体(９)が収容される第１収容室(４)の雰囲気を筐体(１)の外部に排出させることができるとともに、アフタークーラー(11)を冷却することができる。これにより、従来に比して、筐体(１)に設けられるファンの数を減らして、筐体(１)の内部スペースを有効的に活用することができる。
【００２６】
なお、本実施形態においては、アフタークーラー(11)のみに特定されるものではなく、圧縮機本体(９)が多段式である場合にはインタークーラーにも適用可能である。また、タンク(12)は必ずしも筐体(１)に収容する必要性はなく、筐体(１)外に配置しても良い。
【図面の簡単な説明】
【００２７】
【図１】本発明に係わるパッケージ型圧縮機の内部構造を示す縦断面図である。
【図２】筐体の内部構造を示す要部の斜視図である。
【符号の説明】
【００２８】
(１)筐体
(1a)左側板
(1b)右側板
(1c)天板
(1d)底板
(1e)後板
(２)縦仕切板
(３)横仕切板
(４)第１収容室
(５)第２収容室
(６)外気吸気口
(７)第１排気口
(８)第２排気口
(９)圧縮機本体
(9a)吐出口
(9b)吸気口
(10)モータ
(11)アフタークーラー
(12)タンク
(13)防振ゴム
(14)ベルト
(15)ダクト
(16)第１銅管
(17)第２銅管
(18)吸気管
(19)換気扇
(20)囲い部材
(20a)底板部
【図１】
2007239721.tif 000003
【図２】
2007239721.tif 000004